(57)【要約】【課題】自分の姿位置を正確に撮影画像に反映させることができる携帯電子機器を提供する。【解決手段】利用者がレンズカバー８のボス８ａを鉛直方向に摺動させると、これに連動して小窓３が開閉する。また、フレーム５の下端部付近には、シャッタースイッチ９が配設されている。このシャッタースイッチ９は、利用者がレンズカバー８のボス８ａを長孔４の下端までスライドさせると、レンズカバー８の下端部により押下される位置に配設されている。【選択図】　　　　図１
2004023723.tif 000002
【特許請求の範囲】
【請求項１】
被写体を撮影するカメラを備えた携帯電子機器において、
被写体を映し出す鏡面部が設けられたレンズカバーを前記カメラのレンズ直前に備えたことを特徴とする携帯電子機器。
【請求項２】
窓を有する筐体と、
前記筐体内部に配設され、前記窓を通して被写体を見込むレンズを有するカメラと、
前記窓を開閉するレンズカバーと
を備えた携帯電子機器において、
前記レンズカバーには、前記窓を閉じた状態のときに前記レンズと対向する面の裏面に被写体を映し出す鏡面部が形成されている
ことを特徴とする携帯電子機器。
【請求項３】
請求項１または２記載の携帯電子機器において、
前記レンズカバーが所定の位置まで移動すると前記カメラのシャッターを動作させるシャッタースイッチ
をさらに備えたことを特徴とする携帯電子機器。
【請求項４】
請求項２記載の携帯電子機器において、
前記窓が開かれると前記カメラのシャッターを動作させるシャッタースイッチ
をさらに備えたことを特徴とする携帯電子機器。
【請求項５】
請求項３記載の携帯電子機器において、
前記レンズカバーを前記所定の位置に移動するように付勢する付勢手段と、
前記レンズカバーを前記鏡面部の裏面が前記レンズと対向する位置に係止する係止手段と
をさらに備え、
利用者が前記係止手段による係止状態を解除すると、前記レンズカバーが前記付勢手段により前記所定の位置まで移動し、前記シャッタースイッチが動作する
ことを特徴とする携帯電子機器。
【請求項６】
請求項４記載の携帯電子機器において、
前記窓を開くように前記レンズカバーを付勢する付勢手段と、
前記レンズカバーを、前記窓が閉じた状態の位置に係止する係止手段と
をさらに備え、
利用者が前記係止手段による係止状態を解除すると、前記レンズカバーが前記付勢手段により所定の位置まで移動し、前記シャッタースイッチが動作する
ことを特徴とする携帯電子機器。
【請求項７】
請求項５または６記載の携帯電子機器において、
前記レンズカバーが前記所定の位置に移動しても、前記シャッタースイッチが動作しないように設定する設定手段と、
前記レンズカバーが前記所定の位置にある場合に、前記カメラのシャッターを動作させる操作手段と
をさらに備えたことを特徴とする携帯電子機器。
【請求項８】
請求項１ないし７のいずれか１項に記載の携帯電子機器において、
前記鏡面部は、前記レンズ、前記カメラまたは前記カメラおよび前記レンズの広角度合いに応じた曲面を有する
ことを特徴とする携帯電子機器。
【発明の詳細な説明】
【０００１】
【発明の属する技術分野】
本発明は、携帯電話機等の携帯電子機器に関するものであり、特に電子カメラを搭載した携帯電子機器に関するものである。
【０００２】
【従来の技術】
近年、携帯電話機等の携帯電子機器には、本来の通話機能のみならず、データ通信機能が備えられ、ブラウザやメーラが搭載されてインターネットを介してホームページへのアクセスや、電子メールの送受信が可能とされ、インターネット接続サービスや、電子メールサービスが、手軽に享受できるようになってきている。
また、最近においては、電子カメラが搭載された携帯型電子機器も一般化されてきており、電子メールの送受信に際しては、送信者は、自分自身の顔や周囲の風景等を画像データとして添付して受信者側に送信し、受信者はディスプレイ上で相手の様子等を確認することができるようになっている。
【０００３】
このような撮影機能を有する例えば折り畳み型の携帯電話機１０１には、図６に示すように、筐体１０２の背面側に形成された電子カメラ１０３のレンズ１０４の横に、自分撮影時の撮影位置確認のための小型の鏡面部１０５が設けられており、撮影者が自分を撮影する際には、鏡面部１０５に自分自身の像が映し出されるように携帯電話機１０１を構え、この鏡面部１０５の像を見て撮影範囲からずれていないことを確認するようにしていた。
【０００４】
【発明が解決しようとする課題】
しかしながら、従来の携帯電話機器１０１では、鏡面部１０５がレンズ１０４の横に設けられているため、例えば図７（ａ）に示すように、レンズ１０４と自分である被写体１１０との距離が所定の距離にある場合は、鏡面部１０５の中心に自分の姿を合わせれば、撮影された画像も画面中心に入るが、図７（ｂ）に示すように、レンズ１０４と被写体１１０との距離が所定の距離にない場合は、鏡面部１０５の中心に自分の姿を合わせると、自分の中心がレンズ１０４の光軸から外れ、撮影された画像が画面の中心からずれてしまうという問題があった。
本発明は、上述したような課題を解決するためになされたものであり、自分の姿位置を正確に撮影画像に反映させることができる携帯電子機器を提供することを目的とする。
【０００５】
【課題を解決するための手段】
上述したような課題を解決するために、本発明にかかる携帯電子機器は、被写体を撮影するカメラを備えた携帯電子機器において、被写体を映し出す鏡面部が設けられたレンズカバーをカメラのレンズ直前に備えたことを特徴とする。また、本発明にかかる携帯電子機器は、窓を有する筐体と、筐体内部に配設され、窓を通して被写体を見込むレンズを有するカメラと、窓を開閉するレンズカバーとを備えた携帯電子機器において、レンズカバーには、窓を閉じた状態のときにレンズと対向する面の裏面に被写体を映し出す鏡面部が形成されていることを特徴とする。この携帯電子機器によれば、レンズカバーを閉じた状態では、鏡面部はレンズの光軸上に位置し、この鏡面部には、カメラにより撮影される画像とほぼ同じ像が映し出される。
【０００６】
上記携帯電子機器において、レンズカバーが所定の位置まで移動するとカメラのシャッターを動作させるシャッタースイッチをさらに備えるようにしてもよい。また、窓が開かれるとカメラのシャッターを動作させるシャッタースイッチをさらに備えるようにしてもよい。この携帯電子機器によれば、レンズカバーが移動することによりカメラのレンズが携帯電子機器外部に露出すると、シャッターが切れる。すなわち、レンズカバーの移動と連動してシャッターが切れる。
【０００７】
上記携帯電子機器において、レンズカバーを所定の位置に移動するように付勢する付勢手段と、レンズカバーを鏡面部の裏面がレンズと対向する位置に係止する係止手段とをさらに備え、利用者が係止手段による係止状態を解除すると、レンズカバーが付勢手段により所定の位置まで移動し、シャッタースイッチが動作するようにしてもよい。また、上記携帯電子機器において、窓を開くようにレンズカバーを付勢する付勢手段と、レンズカバーを窓が閉じた状態の位置に係止する係止手段とをさらに備え、利用者が係止手段による係止状態を解除すると、レンズカバーが付勢手段により所定の位置まで移動し、シャッタースイッチが動作するようにしてもよい。この携帯電子機器によれば、利用者が係止手段を操作すると、カメラのシャッターが切れる。
【０００８】
また、本発明にかかる携帯電子機器は、レンズカバーが所定の位置に移動しても、シャッタースイッチが動作しないように設定する設定手段と、レンズカバーが所定の位置にある場合に、カメラのシャッターを動作させる操作手段とをさらに備えるようにしてもよい。この携帯電子機器によれば、カメラのレンズを露出させた状態を維持し、例えば携帯電子機器に設けられた表示部にカメラが撮影する画像を表示させ、この画像を確認しながらボタン、キー、ポインティングデバイスまたはジョグシャトル等の操作手段によりカメラのシャッターを切ることができる。
【０００９】
上記携帯電子機器において、鏡面部は、レンズ、カメラまたはカメラおよびレンズの広角度合いに応じた曲面を有するようにしてもよい。この携帯電子機器によれば、鏡面部には、レンズ、カメラまたはカメラおよびレンズの広角度合いに応じた撮影範囲の像が映し出される。
【００１０】
【発明の実施の形態】
［第１の実施の形態］
以下、図面を参照して本発明の第１の実施の形態について詳細に説明する。図１（ａ）は、第１の実施の形態にかかる携帯電話機の正面図、図１（ｂ）は、図１（ａ）におけるＩ−Ｉ線断面図、図２は、レンズカバーの概略図である。なお、第１の実施の形態では、携帯電子機器として携帯電話機を例に説明するが、例えばＰＤＡ（Ｐｅｒｓｏｎａｌ　Ｄｉｇｉｔａｌ　Ａｓｓｉｓｔａｎｔｓ）などの電子カメラを搭載した携帯可能な各種電子機器に適用することが可能である。
【００１１】
全体を符号１で示す折り畳み式携帯電話機は、それぞれの端部が折り畳みが可能なように蝶着された上側筺体２と図示しない下側筺体とから構成される。なお、便宜上、上側筺体２と下側筺体とにおいて、折り畳み式携帯電話機１が折り畳まれた状態で上側筺体２と下側筺体とが対向する面を内側の面、この内側の面に対向した外部に露出している面を外側の面という。また、上側筐体２において、下側筐体と蝶着している端部と対向する端部の方を上、下側筐体と蝶着している端部の方を下とする。さらに、上側の端部と下側の端部とを結ぶ方向を鉛直方向、この鉛直方向に直交する方向を水平方向という。
【００１２】
上側筺体２の外側の面には、略正方形状の小窓３と、この小窓３の鉛直下方で長手方向が鉛直方向に沿った略長方形状の長孔４とが形成されている。小窓３に対向した上側筐体２内部には、鉛直方向の一端を上側筐体２の外壁内部の小窓３の上方に、他端を長孔４の下方に固着された断面略コの字状のフレーム５により、電子カメラ６がレンズ７を小窓３の中心に対向させるように固定されている。上側筐体２の外側の面の外壁とフレーム５との間には、鉛直方向に摺動可能なレンズカバー８が配設され、このレンズカバー８のボス８ａが、長孔４から上側筐体２の外部へと導出されている。利用者がボス８ａを鉛直方向に摺動させると、これに連動して小窓３が開閉する。また、フレーム５の下端部付近には、シャッタースイッチ９が配設されている。このシャッタースイッチ９は、利用者がレンズカバー８のボス８ａを長孔４の下端までスライドさせると、レンズカバー８の下端部により押下される位置に配設されている。
【００１３】
上側筐体２の内側の面には、液晶ディスプレイや有機ＥＬ（Ｅｌｅｃｔｒｏ　Ｌｕｍｉｎｅｓｃｅｎｃｅ）などからなる表示部１０が設けられている。この表示部１０には、電子カメラ６が撮影した画像および携帯電話機１の各種機能を実現するための各種情報が表示される。
上側筺体２の外縁には、アンテナ１１が配設されている。
【００１４】
下側筐体の内側の面には、利用者の操作入力を検出するボタン、キー、ポインティングデバイス、ジョグシャトル等の操作部が設けられている。
また、上側筐体２および下側筐体の内部には、上述した電子カメラ６、シャッタースイッチ９、表示部１０、アンテナ１１および操作部等と接続され、これらの各種構成要素と各種信号の送受信を行うことにより例えば電話、メール、インターネット、画像撮影などの携帯電話機１の各種機能を実現するための電子回路が配設されている。なお、この電子回路は、操作部、電子カメラ６、シャッタースイッチ９等の携帯電話機１の各構成要素の設定を変更する設定部も備えている。この設定部は、利用者による操作部への所定の操作を検出すると、この操作に基づいて各構成要素の設定を変更する。
【００１５】
レンズカバー８は、図２に示すように、金属あるいは樹脂からなる板状の形状を有し、その一表面に光沢メッキが施されている。この光沢メッキが施されている面には、前述した突起からなるボス８ａと、このボス８ａの上方に電子カメラ６の広角度合いに応じた曲面を有する凸部８ｂとが設けられている。なお、凸部２ｂの表面には、特に鏡面加工が施されている。これにより携帯電話機１の利用者は、小窓３をレンズカバー８により閉じた状態、すなわちレンズカバー８がレンズ７の直前に位置する状態において、鏡面加工が施された凸部８ｂは、レンズ７の光軸上にあって、電子カメラ６により撮像される範囲を凸部８ｂに確実に映し出すことができる。
【００１６】
次に、図１および図３を参照して、本実施の形態にかかる携帯電話機において撮影する際の動作について説明する。図３（ａ）は、本実施の形態にかかる携帯電話機において撮影する際の状態を示す正面図、図３（ｂ）は、図３（ａ）におけるＩＩＩ−ＩＩＩ線断面図である。
携帯電話機１の利用者は、自分自身を撮影する場合、まず、レンズカバー８の凸部８ｂに自分の姿が映し出されるように携帯電話機１を構える。凸部８ｂは鏡面加工がされており、かつちょうど電子カメラ６の広角度合いに応じた曲面を有しているので、凸部８ｂに映し出される像は、電子カメラ６の撮像範囲となる。また、図１によく示されるように、レンズカバー８の凸部８ｂは、レンズ７の直前に設けられているので、被写体までの距離が変化しても凸部８ｂに映る自分の姿を正確に正面から撮影することができる。これにより、携帯電話機１は、電子カメラ６が撮影する被写体の画像が表示部１０の中心からずれるのを防ぐことができる。
【００１７】
自分自身の姿が凸部８ｂに映し出される状態に携帯電話機１を構え、ポーズと位置を決定すると、携帯電話機１の利用者は、ボス８ａを長孔４の上端から鉛直下方にスライドさせる。ボス８ａが長孔４の下端までスライドされると、図３に示すように、小窓３から電子カメラ６のレンズ７が露出するとともに、レンズカバー８の下端部によりシャッタースイッチ９が押下される。これにより、本実施の形態にかかる携帯電話機１は、撮影する直前にレンズカバー８の凸部８ｂで確認した自分の姿を、画像として撮影することができる。
【００１８】
再び、自分の姿を撮影する場合は、ボス８ａを鉛直上方にスライドさせ、小窓３から凸部８ｂを露出させ、自分自身の姿を凸部８ｂに映し出し、再度ボス８ａを鉛直下方にスライドさせる。
【００１９】
自分以外の被写体を撮影する場合、利用者は、操作部において所定の操作を行うことにより、シャッタースイッチ９を無効にするとともに、操作部の所定のボタンに電子カメラ６のシャッターを動作を割り付けるように設定する。
これにより、携帯電話機１の利用者は、ボス８ａを長孔４の下端までスライドさせることにより小窓３から電子カメラ６のレンズ７を露出させ、表示部１０に映し出される電子カメラ６が撮影した映像を確認しながら、上述の設定操作によって電子カメラ６のシャッターを動作させるボタンとして割り付けられた所定のボタンを押下することにより、自分以外の被写体を撮影することができる。
【００２０】
上述したように、シャッタースイッチ９は、図示しない操作部により有効／無効を設定できる。これにより利用者は、自分自身を撮影するときのみシャッタースイッチ９が有効であるように設定しておけば、もし、レンズカバー８が下側いっぱいまでスライドされてシャッタースイッチ９が押下されても、誤って撮影されることはない。
【００２１】
レンズカバー８は、撮影時以外は、図１に示すように、ボス８ａが長孔４の上端に留まっている状態、つまり小窓３から凸部８ｂが露出している状態にしておく。これにより、レンズ７は、異物の侵入、傷、または汚れ等を防ぐことができる。また、携帯電話機１の利用者は、例えば街中、電車またはバスなどの公共の場所において、携帯電話機１を操作しているときに、利用者の前方にいる人が隠し撮りをされているという誤解を防ぐこともできる。
【００２２】
［第２の実施の形態］
次に、図４、５を参照して、本発明の第２の実施の形態について説明する。図４（ａ）は、第２の実施の形態にかかる携帯電話機の正面図、図４（ｂ）は、図４（ａ）におけるＩＶ−ＩＶ線断面図、図５（ａ）は、第２の実施の形態にかかる携帯電話機において撮影する際の状態を示す正面図、図５（ｂ）は、Ｖ−Ｖ線断面図である。
なお、第２の実施の形態において、第１の実施の形態と同等の構成要素には同じ名称および符号を付して、説明を適宜省略する。
【００２３】
第２の実施の形態にかかる携帯電話機１には、第１の実施の形態として示した携帯電話機１に、さらに、後述するばね１２と、フック１３と、シャッターボタン１４とが設けられている。
また、フレーム５は、断面略Ｌ字状の形状を有し、上端を上側筐体２の上部外壁に、他端を上側筐体２の外壁内部の長孔４下方に固着させ、電子カメラ６の水平方向の両脇には、レンズカバー８に形成されている切り欠き部８ｃを係止させるストッパー５ａが形成されている。
【００２４】
付勢手段としての機能を実現するばね１２は、一端をレンズカバー８の下端部に、他端を上側筐体２の外壁内側において長孔４の下方に設けられたフック１３に係着されており、レンズカバー８を鉛直下方に付勢する。
【００２５】
シャッターボタン１４は、上側筐体２の上部に設けられた略円筒状の収容部２ａ内部を鉛直方向に摺動するボタン部１４ａと、このボタン部１４ａ底部と収容部２ａの底部（すなわち上側筐体２）との間に配設され、ボタン部１４ａを鉛直上方に押し出すスプリング１４ｂと、上側筐体２の外側の外壁とフレーム５との間に配設され、斜辺がレンズカバー８の凸部８ｂが設けられていない面側の上端部と接触する断面略直角三角形状を有する一対の押下部１４ｃと、スプリング１４ｂおよび上側筐体２の上部外壁を挿通しボタン部１４ａと押下部１４ｃとを連結する連結部１４ｄとから構成される。
【００２６】
次に、本実施の形態にかかる携帯電話機１の動作について説明する。
携帯電話機１の利用者は、自分自身を撮影する場合、まず、レンズカバー８の凸部８ｂに自分の姿が映し出されるように携帯電話機１を構える。凸部８ｂは鏡面加工がされており、かつちょうど電子カメラ６の広角度合いに応じた曲面を有しているので、凸部８ｂに映し出される像は、電子カメラ６にとっての有効画像となる。また、図４によく示されるように、レンズカバー８の凸部８ｂは、レンズ７の直前に設けられているので、被写体までの距離が変化しても凸部８ｂに映る自分の姿を正確に正面から撮影することができる。これにより、携帯電話機１は、電子カメラ６が撮影する被写体の画像が表示部１０の正面からずれることを防ぐことができる。
【００２７】
自分自身の姿が凸部８ｂに映し出される状態に携帯電話機１を構え、ポーズと位置を決定すると、携帯電話機１の利用者は、ボタン部１４ａを鉛直下方に押下する。押下部１４ｃは、ボタン部１４ａに連動してレンズカバー８の係止状態を解除する手段として作用し、ボタン部１４ａが押下されるのに伴って、レンズカバー８とフレーム５との間にその先端部を入り込ませていく。すると、レンズカバー８は、上側筐体２の外側の面の外壁の方向に押されてゆき、ついには切り欠き部１４がストッパー５ａからはずれる。このようにして係止状態が解除されたレンズカバー８は、ばね１２により鉛直下方に引っ張られる。レンズカバー８の下端部がフレーム５の下端部まで引っ張られると、図５に示すように、小窓３から電子カメラ６のレンズ７が露出するとともに、レンズカバー８の下端部によりシャッタースイッチ９が押下される。これにより、本実施の形態にかかる携帯電話機１は、撮影する直前にレンズカバー８の凸部８ｂで確認した自分の姿を、画像として撮影することができる。また、本実施の携帯にかかる携帯電話機１は、ボタン部１４ａを押下することにより簡便に撮影することができるので、撮影した画像に手ぶれ等の影響が入ることを防ぐことができる。
【００２８】
再び、自分の姿を撮影する場合は、ボス８ａを鉛直上方にスライドさせ、ストッパー５ａに切り欠き部８ｃを係止させ、自分自身の姿を凸部８ｂに映し出し、ボタン部１４ａを鉛直下方に押下する。
【００２９】
自分以外の被写体を撮影する場合、携帯電話機１の利用者は、ボタン部１４ａを鉛直下方に押下することにより、小窓３から電子カメラ６のレンズ７を露出させて、表示部１０に映し出される電子カメラ６が撮影した映像を確認しながら、例えば操作部等の予め設定されているシャッターの機能が割り付けられているボタンを押下して撮影する。
なお、シャッタースイッチ９およびシャッターボタン１４は、図示しない操作部等により自分自身を撮影するときのみに有効であるように設定しておけば、ボタン部１４ａが押下されても、誤って撮影されることはない。
【００３０】
レンズカバー８は、撮影時以外は、図４に示すように、ストッパー５ａと切り欠き部８ｃとが係着している状態、つまり小窓３から凸部８ｂが露出している状態にしておく。これにより、レンズ７は、異物の侵入、傷、または汚れ等を防ぐことができる。また、携帯電話機１の利用者は、例えば街中、電車またはバスなどの公共の場所において、携帯電話機１を操作しているときに、利用者の前方にいる人が隠し撮りをされているという誤解を防ぐこともできる。
【００３１】
なお、本実施の形態において、シャッターボタン１４は、上側筐体２の上端に設けられているが、シャッターボタン１４を配設する位置は上側筐体２の上端に限定されず、上側筐体２の側面等適宜自由に設定することができる。
【００３２】
【発明の効果】
以上説明したように、本発明によれば、鏡面部が設けられたレンズカバーをカメラのレンズの直前に設けることにより、レンズカバーに映した自分の姿を正面から正確に確認することができ、かつ被写体までの距離が変化してもカメラが撮影する画像において被写体が中心からずれることを防ぐことができるので、自分の姿位置を正確に撮影画像に反映させることが可能となる。
【００３３】
また、本発明によれば、自分の姿をレンズカバーに映し、ポーズと位置を決めた状態でレンズカバーを移動させると、カメラのシャッタースイッチが押下されるので、直前まで確認した自分の姿を画像として撮影することができる。
【００３４】
さらに、本発明によれば、撮影時以外はレンズカバーをカメラのレンズ前面に戻しておくことにより、街中、電車、バス等の公共の場所において携帯電話機を操作している際に、前方にいる人に隠し撮りされているという誤解を招くのを防ぐことができる。
また、本発明によれば、レンズカバーがカメラのレンズを完全に覆うので、レンズへの異物の侵入や傷、汚れ等を防ぐこともできる。
【００３５】
また、本発明によれば、付勢手段および係止手段を備えることにより、レンズカバーを係止手段からはずすという簡便な操作で撮影することができ、かつ撮影した映像に手ぶれ等の影響が入ることを防ぐことができる。
また、本発明によれば、鏡面部がレンズ、カメラまたはレンズおよびカメラの広角度合いに応じた曲面を有することにより、鏡面部にはカメラにより撮影される画像とほぼ同じ像が映し出されるので、カメラより撮影される画像をより正確に確認することができる。
【図面の簡単な説明】
【図１】（ａ）第１の実施の形態にかかる携帯電話機の正面図、（ｂ）図１（ａ）におけるＩ−Ｉ線断面図である。
【図２】レンズカバーの概略図である。
【図３】（ａ）第１の実施の形態にかかる携帯電話機において撮影する際の状態を示す正面図、（ｂ）図３（ａ）におけるＩＩＩ−ＩＩＩ線断面図である。
【図４】（ａ）第２の実施の形態にかかる携帯電話機の正面図、（ｂ）図４（ａ）におけるＩＶ−ＩＶ線断面図である。
【図５】（ａ）第２の実施の形態にかかる携帯電話機において撮影する際の状態を示す正面図、（ｂ）Ｖ−Ｖ線断面図である。
【図６】従来の携帯電話機１の正面図である。
【図７】（ａ）従来の携帯電話機において所定の距離で撮影した場合を表す図、（ｂ）従来の携帯電話機において所定の距離から離れて撮影した場合を表す図である。
【符号の説明】
１…携帯電話機、２…上側筐体、３…小窓、４…長孔、５…フレーム、５ａ…ストッパー、６…電子カメラ、７…レンズ、８…レンズカバー、８ａ…ボス、８ｂ…凸部、８ｃ…切り欠き部、９…シャッタースイッチ、１０…表示部、１１…アンテナ、１２…ばね、１３…フック、１４…シャッターボタン、１４ａ…ボタン部、１４ｂ…スプリング、１４ｃ…押下部、１４ｄ…連結部。
【図１】
2004023723.tif 000003
【図２】
2004023723.tif 000004
【図３】
2004023723.tif 000005
【図４】
2004023723.tif 000006
【図５】
2004023723.tif 000007
【図６】
2004023723.tif 000008
【図７】
2004023723.tif 000009